【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
情報記憶媒体にデータを書き込む情報処理装置と、当該情報処理装置によって上記情報記憶媒体に書き込まれたデータを読み出す端末とを有するデータ受け渡しシステムであって、
上記端末は、
上記情報記憶媒体を装着する第１の装着手段と、
上記第１の装着手段に装着された上記情報記憶媒体にデータを書き込む第１の書込手段と、
上記第１の装着手段に装着された上記情報記憶媒体に書き込まれたデータを読み出す第１の読出手段と、
上記第１の読出手段により読み出されたデータを復号する復号手段と、
少なくとも上記復号手段により復号可能なデータ形式を示す機能情報を記憶する記憶手段と、
上記第１の書込手段が上記情報記憶媒体に対して上記記憶手段に記憶された機能情報を書き込むように制御する第１の制御手段と
を具え、
上記情報処理装置は、
上記情報記憶媒体を装着する第２の装着手段と、
上記第２の装着手段に装着された上記情報記憶媒体にデータを書き込む第２の書込手段と、
上記第２の装着手段に装着された上記情報記憶媒体に書き込まれた上記機能情報を読み出す第２の読出手段と、
上記情報記憶媒体へのデータ書込要求を検出すると、上記第２の書き込み手段が上記第２の読出手段により読み出された上記機能情報に示されるデータ形式で上記情報記憶媒体にデータを書き込むように制御する第２の制御手段と
を具える
ことを特徴とするデータ受け渡しシステム。
【請求項２】
情報記憶媒体に書き込まれたデータを読み出すデータ読出装置であって、
上記情報記憶媒体を装着する装着手段と、
上記装着手段に装着された上記情報記憶媒体にデータを書き込む書込手段と、
上記装着手段に装着された上記情報記憶媒体に書き込まれたデータを読み出す読出手段と、
上記読出手段により読み出されたデータを復号する復号手段と、
少なくとも上記復号手段により復号可能なデータ形式を示す機能情報を記憶する記憶手段と、
上記書込手段が上記情報記憶媒体に対して上記記憶手段に記憶された機能情報を書き込むように制御する制御手段と
を具える
ことを特徴とするデータ読出装置。
【請求項３】
上記装着手段に上記情報記憶媒体が装着されたことを検出する検出手段を具え、
上記制御手段は、上記検出手段が上記装着手段に上記情報記憶媒体が装着されたことを検出すると、上記書込手段が上記情報記憶媒体に対して上記記憶手段に記憶された機能情報を書き込むように制御する
ことを特徴とする請求項２に記載のデータ読出装置。
【請求項４】
上記機能情報には、上記データ読出装置に対応するモデルネーム、上記データ読出装置に対応するニックネーム、及び上記復号手段により復号可能な符号化方式のいずれかが示される
ことを特徴とする請求項２に記載のデータ読出装置。
【請求項５】
上記制御手段は、上記書込手段が上記情報記憶媒体に既に書き込まれている機能情報に対して上記記憶手段に記憶された機能情報を上書きするように制御する
ことを特徴とする請求項２に記載のデータ読出装置。
【請求項６】
上記制御手段は、上記書込手段が上記情報記憶媒体に既に書き込まれている機能情報とは別のファイルとして上記記憶手段に記憶された機能情報を上記情報記憶媒体に書き込むように制御する
ことを特徴とする請求項２に記載のデータ読出装置。
【請求項７】
上記制御手段は、上記情報記憶媒体に既に書き込まれている機能情報が所定数に到達したとき、上記書込手段が当該既に書き込まれている機能情報のうちの最も古い機能情報に対して上記記憶手段に記憶された機能情報を上書きするように制御する
ことを特徴とする請求項６に記載のデータ読出装置。
【請求項８】
上記制御手段は、上記情報記憶媒体の空き容量に応じて、上記書込手段が当該情報記憶媒体に既に書き込まれている機能情報のうちの最も古い機能情報に対して上記記憶手段に記憶された機能情報を上書きするように制御する
ことを特徴とする請求項６に記載のデータ読出装置。
【請求項９】
上記制御手段は、上記情報記憶媒体に、上記データ読出装置に対応する機能情報が既に書き込まれているときには、上記書込手段が当該既に書き込まれている機能情報の記録日時を更新するように制御する
ことを特徴とする請求項６に記載のデータ読出装置。
【請求項１０】
情報記憶媒体にデータを書き込むデータ書込装置であって、
上記情報記憶媒体を装着する装着手段と、
上記装着手段に装着された上記情報記憶媒体にデータを書き込む書込手段と、
上記装着手段に装着された上記情報記憶媒体に書き込まれた、当該情報記憶媒体に書き込まれたデータを読み出すデータ読出装置により復号可能なデータ形式を示す機能情報を読み出す読出手段と、
上記情報記憶媒体へのデータ書込要求を検出すると、上記書込手段が上記読出手段により読み出された上記機能情報に示されるデータ形式で上記情報記憶媒体にデータを書き込むように制御する制御手段と
を具えることを特徴とするデータ書込装置。
【請求項１１】
上記制御手段は、上記情報記憶媒体に複数の機能情報が書き込まれているとき、当該複数の機能情報のそれぞれの記録日時に応じて一の機能情報を特定し、上記書込手段が当該一の機能情報に対応するデータ形式でデータを書き込むように制御する
ことを特徴とする請求項１０に記載のデータ書込装置。
【請求項１２】
上記制御手段は、上記情報記憶媒体に複数の機能情報が書き込まれているとき、当該複数の機能情報のそれぞれを識別する複数の識別情報をユーザに告知するため、当該複数の識別情報を表示部に出力するように制御し、上記書込手段が当該複数の識別情報からユーザに選択された識別情報により識別される機能情報に対応するデータ形式でデータを書き込むように制御する
ことを特徴とする請求項１０に記載のデータ書込装置。
【請求項１３】
上記制御手段は、上記情報記憶媒体に書き込まれた複数の機能情報のうちの最新の機能情報を識別する識別情報が主画面に配され、過去の機能情報を識別する識別情報が副画面に配されるようなユーザインタフェースを上記表示部に出力する
ことを特徴とする請求項１２に記載のデータ書込装置。
【請求項１４】
上記制御手段は、上記情報記憶媒体に複数の機能情報が書き込まれているとき、上記書込手段が当該複数の機能情報のうちの最新の機能情報以外の機能情報を上記情報記憶媒体から消去するように制御する
ことを特徴とする請求項１０に記載のデータ書込装置。
【請求項１５】
上記制御手段は、上記情報記憶媒体に複数の機能情報が書き込まれているとき、上記書込手段が当該複数の機能情報に示される複数のデータ形式で上記データを書き込むように制御する
ことを特徴とする請求項１０に記載のデータ書込装置。
【請求項１６】
上記制御手段は、上記情報記憶媒体に複数の機能情報が書き込まれているとき、上記書込手段が当該複数の機能情報のそれぞれに共通して示されるデータ形式で上記データを書き込むように制御する
ことを特徴とする請求項１０に記載のデータ書込装置。
【請求項１７】
データを所定のデータ形式に変換する符号化手段と、
データ記憶手段と
を具え、
上記制御手段は、上記情報記憶媒体へのデータ書き込み要求を検出すると、上記符号化手段が上記データを上記読出手段により読み出された上記機能情報に示されるデータ形式に変換し、上記書込手段が当該変換されたデータを上記情報記憶媒体に書き込むと共に上記データ記憶手段に書き込むように制御する
ことを特徴とする請求項１０に記載のデータ書込装置。
【請求項１８】
上記機能情報を記憶する機能情報記憶手段を具え、
上記制御手段は、上記読出手段が上記情報記憶媒体に書き込まれた機能情報を読み出すように制御すると共に、上記書込手段が上記読出手段により読み出された機能情報を上記機能情報記憶手段に書き込むように制御し、上記情報記憶媒体へのデータ書き込み要求を検出すると、上記書込手段が上記機能情報記憶手段に書き込まれた上記機能情報に示されるデータ形式でデータを書き込むように制御する
ことを特徴とする請求項１０に記載のデータ書込装置。
【請求項１９】
上記制御手段は、上記読出手段が上記情報記憶媒体に書き込まれたデータを読み出すように制御し、当該読出手段により読み出されたデータより上記機能情報を推定し、上記書込手段が当該推定した機能情報を上記機能情報記憶手段に書き込むように制御する
ことを特徴とする請求項１８に記載のデータ書込装置。
【手続補正２】
【補正対象書類名】明細書
【補正対象項目名】発明の名称
【補正方法】変更
【補正の内容】
【発明の名称】データ受け渡しシステム、データ読出装置及びデータ書込装置
【手続補正３】
【補正対象書類名】明細書
【補正対象項目名】０００１
【補正方法】変更
【補正の内容】
【０００１】
本発明はデータ受け渡しシステム、データ読出装置及びデータ書込装置に関し、例えば、情報記憶媒体を介してデータを受け渡すデータ受け渡しシステムに適用して好適なものである。
【手続補正４】
【補正対象書類名】明細書
【補正対象項目名】０００６
【補正方法】変更
【補正の内容】
【０００６】
本発明は以上の点を考慮してなされたもので、情報記憶媒体を介して、データを受け取る側に対し確実に復号し得るデータ形式でデータを渡すことのできるデータ受け渡しシステム、データ読出装置及びデータ書込装置を提案しようとするものである。
【手続補正５】
【補正対象書類名】明細書
【補正対象項目名】０００９
【補正方法】変更
【補正の内容】
【０００９】
本発明によれば、端末に情報記憶媒体が装着されると、端末に記憶されている端末で復号可能なデータ形式を示す機能情報を、情報記憶媒体に書き込み、当該機能情報が書き込まれた情報記憶媒体が情報処理装置に装着されると、情報処理装置が情報記憶媒体に記録された機能情報に示されるデータ形式で、情報記憶媒体にデータを書き込むようにしたことにより、情報記憶媒体を介して端末にデータを渡す情報処理装置が、端末により復号可能なデータ形式を自動で特定して、端末により復号可能なデータ形式で情報記憶媒体にデータを書き込むことができ、かくして、情報記憶媒体を介して、データを受け取る側に対し確実に復号し得るデータ形式でデータを渡すことのできるデータ受け渡しシステム、データ読出装置及びデータ書込装置を実現できる。